(57)【要約】【課題】料理を調理する際に使用する全ての材料等と各調理工程における作業内容及びそこで使用される材料等を一目瞭然に表示することで、料理を効率的に調理することのできる料理のレシピ表示システムを提供する。【解決手段】材料情報と、使用分量情報と、作業内容情報と、この作業内容情報と関連付けて、工程材料情報及び工程使用分量情報とを記憶する記憶手段１０と、記憶手段１０によって記憶されている材料情報及び使用分量情報を表示する第１の領域と、記憶手段１０によって記憶されている作業内容情報を、各調理工程ごとにそれぞれ表示し、記憶手段１０によって作業内容情報と関連付けて記憶されている工程材料情報及び工程使用分量情報を、作業内容情報と区分けして表示する複数の第２の領域とを含む画面データを生成する画面データ生成手段１１と、生成された画面データを端末２００に送信する画面データ送信手段１２とを備える。【選択図】図７
2019087116.tif 000002
【特許請求の範囲】
【請求項１】
複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶手段と、
該記憶手段によって記憶されている材料情報及び使用分量情報を表示する第１の領域と、該記憶手段によって記憶されている作業内容情報を、各該調理工程ごとに、それぞれ表示し、該記憶手段によって該作業内容情報と関連付けて記憶されている工程材料情報及び工程使用分量情報を、該作業内容情報と区分けして表示する複数の第２の領域とを含む画面データを生成する画面データ生成手段と、
該画面データ生成手段によって生成された画面データを、ネットワークを介して接続される端末に送信する画面データ送信手段とを備え、
該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置することを特徴とする料理のレシピ表示システム。
【請求項２】
該画面データ生成手段は、該工程材料情報に係る材料が食材の場合と調味料の場合とで、該工程材料情報及び該工程使用分量情報が表示される色を異なる色で生成することを特徴とする請求項１に記載の料理のレシピ表示システム。
【請求項３】
該画面データ生成手段は、該作業内容情報が表示される色と該工程材料情報及び該工程使用分量情報が表示される色とを異なる色で生成することを特徴とする請求項１又は２に記載の料理のレシピ表示システム。
【請求項４】
該記憶手段は、さらに、該作業内容情報と関連付けて、該作業内容情報に係る作業内容を実行する際に使用される調理器具に関する工程調理器具情報及び該工程調理器具情報に係る調理器具の使用個数に関する工程調理器具使用個数情報を記憶し、
該画面データ生成手段によって生成される画面データに含まれる複数の第２の領域には、それぞれ、該記憶手段によって該作業内容情報と関連付けて記憶されている工程調理器具情報及び工程調理器具使用個数情報が、該作業内容情報と区分けされて表示されており、
該作業内容情報は該工程調理器具情報又は該工程調理器具使用個数情報と隣接する位置に表示されることを特徴とする請求項１に記載の料理のレシピ表示システム。
【請求項５】
該画面データ生成手段は、該工程材料情報に係る材料が食材の場合と調味料の場合とで、該工程材料情報及び該工程使用分量情報が表示される色を異なる色で生成するとともに、該工程調理器具情報及び該工程調理器具使用個数情報が表示される色と該工程材料情報及び該工程使用分量情報が表示される色とを異なる色で生成することを特徴とする請求項４に記載の料理のレシピ表示システム。
【請求項６】
該画面データ生成手段は、該工程材料情報及び該工程使用分量情報並びに該工程調理器具情報及び該工程調理器具使用個数情報が表示される色と該作業内容情報が表示される色とを異なる色で生成することを特徴とする請求項４又は５に記載の料理のレシピ表示システム。
【請求項７】
該記憶手段は、さらに、該料理を調理している様子が撮影された動画像を記憶し、
該画面データ生成手段によって生成される画面データには、さらに、該記憶手段によって記憶されている動画像を表示する第３の領域を含むものであって、
該第３の領域は、該第３、第１の領域の順に、該第１及び第２の領域の直線上に位置することを特徴とする請求項１乃至６のいずれかに記載の料理のレシピ表示システム。
【請求項８】
該動画像は、各該調理工程ごとに複数のチャプターから構成されるものであって、
各該調理工程ごとの該動画像を、対応する該チャプターの先頭から表示するよう指示する表示指示情報を、該端末から受信する表示指示情報受信手段と、
該表示指示情報受信手段によって受信した表示指示情報に基づいて、対応する該チャプターの先頭から表示される各該調理工程ごとの該動画像を、該端末に送信する動画像送信手段とを備え、
該画面データ生成手段によって生成される画面データに含まれる複数の第２の領域には、それぞれ、該端末を介して該表示指示情報を送信するための操作ボタン画像が表示されていることを特徴とする請求項７に記載の料理のレシピ表示システム。
【請求項９】
複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する情報記憶手段と、
該情報記憶手段によって記憶されている材料情報及び使用分量情報を、第１の領域に表示する材料分量情報表示手段と、
該情報記憶手段によって記憶されている作業内容情報を、各該調理工程ごとに、複数の第２の領域に、それぞれ表示する作業内容情報表示手段と、
該情報記憶手段によって該作業内容情報と関連付けて記憶されている工程材料情報及び工程使用分量情報を、該作業内容情報が表示される該第２の領域に、該作業内容情報と区分けして表示する工程材料分量情報表示手段とを備え、
該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置するとともに、表示全体が該直線上に画面スクロールされることを特徴とする料理のレシピ表示システム。
【請求項１０】
料理のレシピ表示システムにおける料理のレシピ表示方法であって、
該料理のレシピ表示システムは、
複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶ステップと、
該記憶ステップによって記憶されている材料情報及び使用分量情報を表示する第１の領域と、該記憶ステップによって記憶されている作業内容情報を、各該調理工程ごとに、それぞれ表示し、該記憶ステップによって該作業内容情報と関連付けて記憶されている工程材料情報及び工程使用分量情報を、該作業内容情報と区分けして表示する複数の第２の領域とを含む画面データを生成する画面データ生成ステップと、
該画面データ生成ステップによって生成された画面データを、ネットワークを介して接続される端末に送信する画面データ送信ステップとを実行するものであって、
該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置することを特徴とする料理のレシピ表示方法。
【請求項１１】
コンピュータを、
料理のレシピ表示システムとして機能させるためのプログラムであって、
該料理のレシピ表示システムは、
複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶手段と、
該記憶手段によって記憶されている材料情報及び使用分量情報を表示する第１の領域と、該記憶手段によって記憶されている作業内容情報を、各該調理工程ごとに、それぞれ表示し、該記憶手段によって該作業内容情報と関連付けて記憶されている工程材料情報及び工程使用分量情報を、該作業内容情報と区分けして表示する複数の第２の領域とを含む画面データを生成する画面データ生成手段と、
該画面データ生成手段によって生成された画面データを、ネットワークを介して接続される端末に送信する画面データ送信手段とを備え、
該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置する、
プログラム。
【発明の詳細な説明】
【技術分野】
【０００１】
本発明は、料理のレシピ表示システム、方法及びプログラムに関し、より詳しくは、料理を調理する際に使用する全ての材料（例えば、食材や調味料）等と該料理の各調理工程における作業内容及びそこで使用される材料等を一目瞭然に表示することで、これらの関係性を容易に把握しながら、該料理を効率的に調理することのできる料理のレシピ表示システム、方法及びプログラムに関する。
【背景技術】
【０００２】
料理のレシピを参照する者は、通常、当該レシピに係る料理の調理をしたことがないか又は調理が不慣れな者（以下、これらの者を合わせて「未経験調理者」という。）であるところ、このような未経験調理者は、その料理の調理に使用される全ての材料や使用分量、並びに、料理の各調理工程の作業内容を把握していないのが一般的である。
【０００３】
そのため、未経験調理者が上手く料理を完成させるためには、料理のレシピを参照し、料理の各調理工程の作業内容とともに、各調理工程で使用される材料及び使用分量、並びに、その料理の調理に使用される全ての材料及び使用分量との関係性を、常に確認（把握）しながら料理の調理を進めていく必要がある（以下、この確認作業のことを「材料等確認作業」という）。
【０００４】
例えば、料理の調理に使用される食材及び使用分量として「たまねぎ・・・１個」、最初の調理工程で「たまねぎをみじん切りにする。」とあった場合、未経験調理者は、「たまねぎの使用分量はどれくらいだったか。」、又は、「たまねぎの使用分量は１個とあったが、この調理工程で全てのたまねぎを処理してよいのか。後の調理工程で、再度、たまねぎを使用することはあるか。」等を、逐一確認しながら調理を進めていく、という具合である（もし、未経験調理者が、この材料等確認作業を怠った場合には、後の調理工程で、再度、たまねぎを使用する必要があったにもかかわらず、最初の調理工程で全てのたまねぎを使用してしまい、後の調理工程を行うことができなくなってしまうという事態が生じる場合がある。つまり、結果として料理が完成しないという問題が生じる）。
【０００５】
しかし、昨今では、女性の社会進出の進展により、共働きの世帯が増加しているところ、このような時代背景により、未経験調理者が生活の中で料理の調理にあてられる時間は限られたものとなっていることから、未経験調理者には、材料等確認作業を行いながら料理を調理したくても、その時間を十分に確保することができない、という問題が生じている。
【０００６】
そこで、従来、このような問題を少しでも改善しようと、料理を調理する時間を十分に確保できない未経験調理者が、料理を調理する際に参照する料理のレシピとして、例えば、非特許文献１のような料理のレシピサイトが知られている。
【０００７】
この非特許文献１の料理のレシピサイトは、料理を調理する際に使用される全ての材料及び使用分量を「材料」の項に一覧的に表示するとともに、該料理の各調理工程の作業内容を、「材料」の項の下段にある「作り方」の項に、それぞれ（工程順に）文章で表示することで、料理を調理する際に必要となる基本的な情報を、一つのサイトで確認できるようになっている。
【先行技術文献】
【非特許文献】
【０００８】
【非特許文献１】レタスクラブニュース  麻婆（マーボー）なす〔平成２９年１０月２日検索〕、インターネット＜URL: https://www.lettuceclub.net/recipe/dish/21904/＞
【発明の概要】
【発明が解決しようとする課題】
【０００９】
しかし、非特許文献１の料理のレシピサイトは、各調理工程の作業内容を、「作り方」の項に、各調理工程で使用する材料、使用分量及び作業の方法を混然としたかたちで、文章で一纏めに表示していることから（使用分量については、調味料の使用分量のみが表示されている）、未経験調理者は、このような表示を見ても、各調理工程の作業内容（「何を」、「どれくらい使い」、「どうするか」ということ）を即座に捉えることができない。したがって、未経験調理者は、非特許文献１の料理のレシピサイトを参照したとしても、一見して料理のレシピを理解することができないことから、非特許文献１の料理のレシピサイトは、特に、料理を調理する時間を十分に確保できない未経験調理者が料理を調理する際に参照するレシピとしては不向きである。
【００１０】
また、非特許文献１の料理のレシピサイトでは、上記のとおり、各調理工程の作業内容が、「作り方」の項に、各調理工程で使用する材料、使用分量及び作業の方法を混然としたかたちで、文章で一纏めに表示されているとともに、「作り方」の項に表示される使用分量については、調味料の使用分量のみが表示されているものであって、各調理工程で使用する材料の内、食材については使用分量に関する情報が表示されていないことから、未経験調理者は、当該レシピサイトを参照したとしても、当該表示のみから、料理の各調理工程の作業内容、各調理工程で使用される材料及び使用分量、料理の調理に使用される全ての材料及び使用分量の三者の関係性を直ちに把握することができない。つまり、「作り方」の項には、各調理工程の作業内容が一目瞭然に表示されていないばかりか、これらの関係性を直ちに把握するための必要な情報は表示されていないのであるから、未経験調理者は、当該表示のみをもって、材料等確認作業を行うことができないのである（未経験調理者は、当該レシピサイトを参照したとしても、材料等確認作業を効率的に行うことができない）。
【００１１】
さらに、このことから、未経験調理者が、非特許文献１の料理のレシピサイトを用いて材料等確認作業を行うためには、料理を調理する際に使用される全ての材料及び使用分量が表示されている「材料」の項の表示内容、並びに、「作り方」の項に表示される表示内容を対比して確認しなければならないところ、当該レシピサイトが表示されているスマートフォンやタブレット等の端末の画面上（当該画面の表示領域内）に、「材料」又は「作り方」の項の表示内容のいずれか一方が表示されている場合には、他方の表示内容は、当該端末の画面上（当該画面の表示領域）から見切れてしまうことから、未経験調理者は、当該画面の表示領域内に表示される表示内容のみから、一見して、各調理工程の作業内容、各調理工程で使用される材料及び使用分量、料理の調理に使用される全ての材料及び使用分量との関係性を把握することができない。つまり、当該レシピサイトでは、各調理工程の作業内容、各調理工程で使用される材料及び使用分量、料理の調理に使用される全ての材料及び使用分量との関係性を把握するために必要な「材料」及び「作り方」の項の表示内容が、当該画面上（当該画面の表示領域内）に一纏めに表示されることはなく、これら両表示内容を一見して対比することができないことから、未経験調理者は、当該レシピサイトを用いて、効率的に材料等確認作業を行うことができないということである（調理工程数の多い料理の場合はなおさらである）。
【００１２】
また、この場合、未経験調理者が当該レシピサイトを用いて材料等確認作業を行うためには、当該端末画面の表示を上方又は下方にスクロールさせて、他方の表示内容を当該端末の画面上（当該画面の表示領域内）に表示させる必要があることから、未経験調理者は、各調理工程の作業内容、各調理工程で使用される材料及び使用分量、料理の調理に使用される全ての材料及び使用分量との関係性を把握すべく、「材料」及び「作り方」の項の表示内容を、上記スクロールを繰り返しながら、当該画面上（当該画面の表示領域内）で交互に確認しなければならない（つまり、「材料」及び「作り方」の項の表示内容を、何度も見比べなければならない）。よって、未経験調理者がこれらの関係性を把握することは容易でない。
【００１３】
加えて、上記のとおり、未経験調理者が当該レシピサイトを用いて材料等確認作業を行う場合には、当該端末画面の表示を上方又は下方にスクロールさせる必要があることから、未経験調理者は、このような操作のために余計な作業を強いられることになる。
【００１４】
またその結果、未経験調理者は、料理を調理中の手（洗浄済の手）で、衛生的とはいえない当該端末に何度も触れ、当該端末の操作（スクロール）を行うことになることから、衛生的にも問題である。また、この場合、当該端末には料理を調理中の手を介して、食材や調味料が付着するおそれがあることから、当該端末を操作すべく、料理を調理中の手で何度も当該端末に触れることは、当該端末の故障にもつながる結果となる。
【００１５】
そこで、本発明は、上記点に鑑みてなされたものであり、料理を調理する際に使用する全ての材料（例えば、食材や調味料）等と該料理の各調理工程における作業内容及びそこで使用される材料等を一目瞭然に表示することで、これらの関係性を容易に把握しながら、該料理を効率的に調理することのできる料理のレシピ表示システム、方法及びプログラムを提供することを目的とするものである。
【課題を解決するための手段】
【００１６】
請求項１の発明に係る料理のレシピ表示システムは、複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶手段と、該記憶手段によって記憶されている材料情報及び使用分量情報を表示する第１の領域と、該記憶手段によって記憶されている作業内容情報を、各該調理工程ごとに、それぞれ表示し、該記憶手段によって該作業内容情報と関連付けて記憶されている工程材料情報及び工程使用分量情報を、該作業内容情報と区分けして表示する複数の第２の領域とを含む画面データを生成する画面データ生成手段と、該画面データ生成手段によって生成された画面データを、ネットワークを介して接続される端末に送信する画面データ送信手段とを備え、該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置することを特徴とする。
【００１７】
請求項２の発明に係る料理のレシピ表示システムは、請求項１に記載の料理のレシピ表示システムであって、該画面データ生成手段は、該工程材料情報に係る材料が食材の場合と調味料の場合とで、該工程材料情報及び該工程使用分量情報が表示される色を異なる色で生成することを特徴とする。
【００１８】
請求項３の発明に係る料理のレシピ表示システムは、請求項１又は２に記載の料理のレシピ表示システムであって、該画面データ生成手段は、該作業内容情報が表示される色と該工程材料情報及び該工程使用分量情報が表示される色とを異なる色で生成することを特徴とする。
【００１９】
請求項４の発明に係る料理のレシピ表示システムは、請求項１に記載の料理のレシピ表示システムであって、該記憶手段は、さらに、該作業内容情報と関連付けて、該作業内容情報に係る作業内容を実行する際に使用される調理器具に関する工程調理器具情報及び該工程調理器具情報に係る調理器具の使用個数に関する工程調理器具使用個数情報を記憶し、該画面データ生成手段によって生成される画面データに含まれる複数の第２の領域には、それぞれ、該記憶手段によって該作業内容情報と関連付けて記憶されている工程調理器具情報及び工程調理器具使用個数情報が、該作業内容情報と区分けされて表示されており、該作業内容情報は該工程調理器具情報又は該工程調理器具使用個数情報と隣接する位置に表示されることを特徴とする。
【００２０】
請求項５の発明に係る料理のレシピ表示システムは、請求項４に記載の料理のレシピ表示システムであって、該画面データ生成手段は、該工程材料情報に係る材料が食材の場合と調味料の場合とで、該工程材料情報及び該工程使用分量情報が表示される色を異なる色で生成するとともに、該工程調理器具情報及び該工程調理器具使用個数情報が表示される色と該工程材料情報及び該工程使用分量情報が表示される色とを異なる色で生成することを特徴とする。
【００２１】
請求項６の発明に係る料理のレシピ表示システムは、請求項４又は５に記載の料理のレシピ表示システムであって、該画面データ生成手段は、該工程材料情報及び該工程使用分量情報並びに該工程調理器具情報及び該工程調理器具使用個数情報が表示される色と該作業内容情報が表示される色とを異なる色で生成することを特徴とする。
【００２２】
請求項７の発明に係る料理のレシピ表示システムは、請求項１乃至６のいずれかに記載の料理のレシピ表示システムであって、該記憶手段は、さらに、該料理を調理している様子が撮影された動画像を記憶し、該画面データ生成手段によって生成される画面データには、さらに、該記憶手段によって記憶されている動画像を表示する第３の領域を含むものであって、該第３の領域は、該第３、第１の領域の順に、該第１及び第２の領域の直線上に位置することを特徴とする。
【００２３】
請求項８の発明に係る料理のレシピ表示システムは、請求項７に記載の料理のレシピ表示システムであって、該動画像は、各該調理工程ごとに複数のチャプターから構成されるものであって、各該調理工程ごとの該動画像を、対応する該チャプターの先頭から表示するよう指示する表示指示情報を、該端末から受信する表示指示情報受信手段と、該表示指示情報受信手段によって受信した表示指示情報に基づいて、対応する該チャプターの先頭から表示される各該調理工程ごとの該動画像を、該端末に送信する動画像送信手段とを備え、該画面データ生成手段によって生成される画面データに含まれる複数の第２の領域には、それぞれ、該端末を介して該表示指示情報を送信するための操作ボタン画像が表示されていることを特徴とする。
【００２４】
請求項９の発明に係る料理のレシピ表示システムは、複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する情報記憶手段と、該情報記憶手段によって記憶されている材料情報及び使用分量情報を、第１の領域に表示する材料分量情報表示手段と、該情報記憶手段によって記憶されている作業内容情報を、各該調理工程ごとに、複数の第２の領域に、それぞれ表示する作業内容情報表示手段と、該情報記憶手段によって該作業内容情報と関連付けて記憶されている工程材料情報及び工程使用分量情報を、該作業内容情報が表示される該第２の領域に、該作業内容情報と区分けして表示する工程材料分量情報表示手段とを備え、該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置するとともに、表示全体が該直線上に画面スクロールされることを特徴とする。
【００２５】
請求項１０の発明に係る料理のレシピ表示方法は、料理のレシピ表示システムにおける料理のレシピ表示方法であって、該料理のレシピ表示システムは、複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶ステップと、該記憶ステップによって記憶されている材料情報及び使用分量情報を表示する第１の領域と、該記憶ステップによって記憶されている作業内容情報を、各該調理工程ごとに、それぞれ表示し、該記憶ステップによって該作業内容情報と関連付けて記憶されている工程材料情報及び工程使用分量情報を、該作業内容情報と区分けして表示する複数の第２の領域とを含む画面データを生成する画面データ生成ステップと、該画面データ生成ステップによって生成された画面データを、ネットワークを介して接続される端末に送信する画面データ送信ステップとを実行するものであって、該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置することを特徴とする。
【００２６】
請求項１１の発明に係るプログラムは、コンピュータを、料理のレシピ表示システムとして機能させるためのプログラムであって、該料理のレシピ表示システムは、複数の調理工程からなる料理を調理する際に使用される材料に関する材料情報と、該材料情報に係る材料の使用分量に関する使用分量情報と、各該調理工程ごとの、該料理を調理するための作業内容に関する作業内容情報と、該作業内容情報と関連付けて、該作業内容情報に係る作業内容を実行する際に使用される材料に関する工程材料情報及び該工程材料情報に係る材料の使用分量に関する工程使用分量情報とを記憶する記憶手段と、該記憶手段によって記憶されている材料情報及び使用分量情報を表示する第１の領域と、該記憶手段によって記憶されている作業内容情報を、各該調理工程ごとに、それぞれ表示し、該記憶手段によって該作業内容情報と関連付けて記憶されている工程材料情報及び工程使用分量情報を、該作業内容情報と区分けして表示する複数の第２の領域とを含む画面データを生成する画面データ生成手段と、該画面データ生成手段によって生成された画面データを、ネットワークを介して接続される端末に送信する画面データ送信手段とを備え、該作業内容情報は該工程材料情報又は該工程使用分量情報と隣接する位置に表示され、該第１及び第２の領域は該第１、第２の領域の順に直線上に位置するものであって、該複数の第２の領域は該調理工程の順に従って、それぞれ該直線上に位置することを特徴とする。
【発明の効果】
【００２７】
請求項１、１０及び１１に記載の発明は、上記構成を有することから、料理の各調理工程における作業内容及びそこで使用される材料等を一目瞭然に表示することができる。これにより、本件発明を用いれば、未経験調理者は、一見して料理のレシピを理解することができる。
【００２８】
［区分け表示の効果］
すなわち、本件発明では、各調理工程ごとの、料理を調理するための作業内容に関する作業内容情報と、これと関付けて記憶されている、作業内容情報に係る作業内容を実行する際に使用される材料に関する工程材料情報及び工程材料情報に係る材料の使用分量に関する工程使用分量情報が、混然一体となることなく、一目瞭然に同じ第２の領域に明確に区分けされたかたちで表示されるものとなっていることから、このような第２の領域を含む画面データを、自身の端末（スマートフォンやタブレット等のこと。以下、「端末」という。）に受信した未経験調理者は、端末の画面上に表示される第２の領域の表示内容を通じて、各調理工程の作業内容及び料理を調理するために必要な全ての材料等の内、その作業内容において使用される材料等（「何を」、「どれくらい使い」、「どうするか」ということ）を、即座に捉えることができるのである。
【００２９】
このように、本件発明を用いれば、未経験調理者は、一見して料理のレシピを理解することができることから、本件発明は、特に、料理を調理する時間を十分に確保できない未経験調理者に対して、最適な料理のレシピを提供することができる。
【００３０】
また、このことに加え、第２の領域に表示される工程材料情報に係る材料及び工程使用分量情報に係る使用分量は、それぞれ、第１の領域に表示される材料情報に係る材料及び使用分量情報に係る使用分量（料理を調理する際に使用される全ての材料及びその使用分量のこと）の内、各調理工程における作業内容を実行する際に使用される材料及びその使用分量のことであることから、第１及び第２の領域を含む画面データを、自身の端末に受信した未経験調理者は、端末の画面上に表示される第１の領域の表示内容（材料情報及び使用分量情報）及び第２の領域の表示内容を、順に確認するだけで、各調理工程の作業内容、各調理工程で使用される材料及び使用分量、料理を調理する際に使用される全ての材料及び使用分量の三者の関係性を容易に（一見して）把握することができる。すなわち、未経験調理者は、端末の画面上に表示される第１の領域の表示内容を事前に確認して、料理の調理の際に使用する全ての材料及び使用分量を把握しておけば、後は、第２の領域に表示される内容を確認するだけで、これら三者の関係性を容易に（一見して）把握することができることから、本件発明を用いれば、効率的に材料等確認作業を行うことができるのである（つまり、第１の領域と第２の領域の表示内容を、何度も見比べる必要はない）。
【００３１】
［スクロール時の効果］
さらに、本件発明では、第１及び第２の領域が第１、第２の領域の順に直線上に位置するものであって、複数の第２の領域が調理工程の順に従って、それぞれ直線上に位置するものとなっていることから、第１及び第２の領域を含む画面データを、自身の端末に受信した未経験調理者は、材料等確認作業を行うために、何度も、端末を操作して端末画面の表示をスクロールさせる必要がない。よって、本件発明を用いれば、未経験調理者は、材料等確認作業を行うために余計な作業（操作）を強いられることがないことから、簡易迅速（効率的）に材料等確認作業を行うことができる。
【００３２】
このことを詳しく説明すると、第１及び第２の領域を含む画面データを受信した未経験調理者の端末の画面上（当該画面の表示領域内）に、例えば、「第１の領域」の表示内容が表示されている場合には、「第２の領域」の表示内容は、全て又はその大半が端末の画面上（当該画面の表示領域）から見切れてしまうことになる。そのため、本件発明においても、各調理工程の作業内容、各調理工程で使用される材料及び使用分量、料理を調理する際に使用される全ての材料及び使用分量との関係性を把握するために必要な第１及び第２の領域の表示内容が、端末の画面上（当該画面の表示領域内）に一纏めに表示されることはないことから、本件発明では、非特許文献１の料理のレシピサイトと同様に、未経験調理者に対して、材料等確認作業のための余計な作業（操作）を強いるものとも思われる。
【００３３】
しかし、本件発明を用いて材料等確認作業を行うためには、上記のとおり、まず、第１の領域に表示される材料情報と使用分量情報を確認し、続いて、第２の領域に表示される内容を確認すればよいのであり、未経験調理者は、本件発明の上記構成より、端末の画面上（当該画面の表示領域内）に第１の領域の表示内容が表示されている状態から、端末画面の表示を一度だけスクロールさせて、第２の領域の表示内容を端末の画面上（当該画面の表示領域内）に表示させることで、第１及び第２の領域の表示内容を順に確認することができる（材料等確認作業を行うことができる）のであるから、本件発明では、未経験調理者に対して、材料等確認作業のための余計な作業（操作）を強いることはない。したがって、第１及び第２の領域の表示内容が端末の画面上（当該画面の表示領域内）に一纏めに表示されないものだとしても、未経験調理者は、材料等確認作業を行う際に、何度も端末を操作して、端末画面の表示をスクロールさせる必要はなく、一度の操作（スクロール）を行うだけで、各調理工程の作業内容、各調理工程で使用される材料及び使用分量、料理を調理する際に使用される全ての材料及び使用分量の三者の関係性を容易に（一見して）把握することができることから、本件発明を用いれば、未経験調理者は、簡易迅速（効率的）に材料等確認作業を行うことができるのである。
【００３４】
なお、料理の調理工程が多数の調理工程からなる場合には、例えば、前半の調理工程に対応する第２の領域の表示内容が端末の画面上（当該画面の表示領域内）に表示されると、後半の調理工程に対応する第２の領域の表示内容は端末の画面上（当該画面の表示領域）から見切れてしまうことになることから、未経験調理者は、上記のように一度のスクロールだけで、材料等確認作業を行うことができない。しかし、複数の第２の領域は調理工程の順に従って、それぞれ直線上に位置するものとなっており、未経験調理者は、端末画面の表示を調理工程の順に従って（つまり、一定方向に）スクロールさせるだけで、後半の調理工程に対応する第２の領域の表示内容を端末の画面上（当該画面の表示領域内）に表示させることができることから、料理の調理工程が多数の調理工程からなる場合であっても、未経験調理者は、シンプルな操作（一定方向へのスクロール）のみで、効率的に材料等確認作業を行うことができる。よって、このような場合でも、本件発明を用いれば、未経験調理者が材料等確認作業を行うために煩雑な操作（例えば、一度スクロールした方向と反対方向にスクロールする等）を強いられることはない。
【００３５】
以上より、本件発明を用いれば、未経験調理者は、効率的に料理の調理を進めることができる。
【００３６】
また、上記のとおり、未経験調理者は、材料等確認作業を行う際に何度も端末を操作して、端末画面の表示をスクロールさせる必要がないことから、料理を調理中の手（洗浄済の手）で、衛生的とはいえない端末に何度も触れる必要はない。よって、本件発明を用いれば衛生的にも安全である。また、このことから、料理を調理中の手を介して、端末に食材や調味料が付着するおそれは激減することから、本件発明では、端末がこれにより故障する原因を防止することができる。
【００３７】
請求項２に記載の発明は、画面データ生成手段が、工程材料情報に係る材料が食材の場合と調味料の場合とで、工程材料情報及び工程使用分量情報が表示される色を異なる色で生成するものとなっていることから、第２の領域を含む画面データを、自身の端末に受信した未経験調理者は、端末の画面上に表示される第２の領域の表示内容を通じて、即座に（一目瞭然に）、各調理工程の作業内容及びそこで使用される材料等（「何を」、「どれくらい使い」、「どうするか」ということ）を捉えることができるとともに、より効率的に材料等確認作業を行うことができる。これにより、本件発明を用いれば、未経験調理者は、さらに効率的に料理の調理を進めることができる。
【００３８】
請求項３に記載の発明は、画面データ生成手段が、作業内容情報が表示される色と工程材料情報及び工程使用分量情報が表示される色とを異なる色で生成するものとなっていることから、第２の領域を含む画面データを、自身の端末に受信した未経験調理者は、端末の画面上に表示される第２の領域の表示内容を通じて、即座に（一目瞭然に）、各調理工程の作業内容及びそこで使用される材料等（「何を」、「どれくらい使い」、「どうするか」ということ）を捉えることができるとともに、より効率的に材料等確認作業を行うことができる。これにより、本件発明を用いれば、未経験調理者は、さらに効率的に料理の調理を進めることができる。
【００３９】
請求項４に記載の発明は、記憶手段によって作業内容情報と関連付けて記憶されている工程調理器具情報及び工程調理器具使用個数情報が、複数の第２の領域に、それぞれ、作業内容情報と区分けされたかたち等で表示されるものとなっていることから、第２の領域を含む画面データを、自身の端末に受信した未経験調理者は、端末の画面上に表示される第２の領域の表示内容を通じて、一見して、各調理工程で使用される調理器具及びその使用個数を把握することができる。これにより、未経験調理者は、各調理工程の作業内容及びそこで使用される材料等（「何を」、「どれくらい使い」、「どうするか」ということ）に加え、そこで使用される調理器具及びその使用個数をも明確にイメージすることができることから、本件発明を用いれば、より効率的に料理の調理を進めることができる。
【００４０】
請求項５に記載の発明は、画面データ生成手段が、工程材料情報に係る材料が食材の場合と調味料の場合とで、工程材料情報及び工程使用分量情報が表示される色を異なる色で生成するとともに、工程調理器具情報及び工程調理器具使用個数情報が表示される色と工程材料情報及び工程使用分量情報が表示される色とを異なる色で生成するものとなっていることから、第２の領域を含む画面データを、自身の端末に受信した未経験調理者は、端末の画面上に表示される第２の領域の表示内容を通じて、即座に（一目瞭然に）、各調理工程の作業内容及びそこで使用される材料等（「何を」、「どれくらい使い」、「どうするか」ということ）、並びに、そこで使用される調理器具及びその使用個数を捉えることができる。これにより、本件発明を用いれば、未経験調理者は、さらに効率的に料理の調理を進めることができる。
【００４１】
請求項６に記載の発明は、画面データ生成手段が、工程材料情報及び工程使用分量情報並びに工程調理器具情報及び工程調理器具使用個数情報が表示される色と作業内容情報が表示される色とを異なる色で生成するものとなっていることから、第２の領域を含む画面データを、自身の端末に受信した未経験調理者は、端末の画面上に表示される第２の領域の表示内容を通じて、即座に（一目瞭然に）、各調理工程の作業内容及びそこで使用される材料等（「何を」、「どれくらい使い」、「どうするか」ということ）、並びに、そこで使用される調理器具及びその使用個数を捉えることができる。これにより、本件発明を用いれば、未経験調理者は、さらに効率的に料理の調理を進めることができる。
【００４２】
請求項７に記載の発明は、料理を調理している様子が撮影された動画像が、画面データに含まれる第３の領域に表示されるものとなっていることから、本件発明では、このような動画像を通じて、料理の各調理工程における作業内容及びそこで使用される材料等を、未経験調理者に鮮明にイメージさせることができる。
【００４３】
また、該動画像が表示される第３の領域は、第３、第１の領域の順に、第１及び第２の領域の直線上に位置するものとなっており、該動画像は、未経験調理者の端末が画面データを受信した際に、端末の画面上の先頭に表示されるものとなっていることから、本件発明では、未経験調理者に対して、まず、該動画像を閲覧するよう促すことができる。これにより、本件発明では、料理のレシピの全体像を、動画像を通じて鮮明にイメージした上で、第１及び第２の領域に表示される内容を確認するよう、未経験調理者に促すことができることから、本件発明を用いれば、未経験調理者は、より効率的に材料等確認作業を行うことができることになる。すなわち、いきなり、文字や数字等からなる第１及び第２の領域の表示内容を見るよりも、最初に、映像と音声からなる動画像を通じて料理のレシピの全体像を把握した上で第１及び第２の領域の表示内容を見た方が、格段に第１及び第２の領域の表示内容を理解するスピードは早いことから、本件発明を採用すれば、未経験調理者は、より効率的に材料等確認作業を行うことができるのである（特に、未経験調理者の中でも、料理のレシピに係る料理を調理したことがない者にとっては有効である）。
【００４４】
以上より、本件発明を用いれば、未経験調理者は、効率的に料理の調理を進めることができる。
【００４５】
請求項８に記載の発明は、表示指示情報受信手段によって受信した表示指示情報に基づいて、対応するチャプターの先頭から表示される各調理工程ごとの動画像を、端末に送信するものとなっていることから、本件発明を用いれば、未経験調理者は、閲覧したい調理工程の動画像を即座に閲覧することができる。これにより、例えば、未経験調理者が端末の画面上に表示されている第２の領域の表示内容より、そこに表示されている作業内容について理解ができない場合でも、未経験調理者は、即座に、該当する調理工程の動画像を閲覧することで、その理解できない調理工程の作業内容について理解を深める（鮮明にイメージする）ことができることから、本件発明を採用すれば、未経験調理者は、より効率的に材料等確認作業を行うことができることになる。
【００４６】
また、本件発明では、画面データに含まれる複数の第２の領域に、それぞれ、端末を介して表示指示情報を送信するための操作ボタン画像が表示されていることから、未経験調理者は、本件発明を用いることで、より効率的に材料等確認作業を行うことができる。すなわち、未経験調理者が、端末の画面上に表示されている第２の領域の表示内容（調理工程で行う作業内容等）を確認中に、突如、該当する調理工程の動画像を閲覧したいと考えた場合でも（例えば、その調理工程で行う作業内容が理解できないため）、未経験調理者は、同じ第２の領域に表示されている操作ボタン画像を操作するだけで（シンプルな操作だけで）、閲覧したい調理工程の動画像を即座に閲覧することができることから、本件発明を用いれば、より効率的に材料等確認作業を行うことができるのである。以上より、本件発明では、未経験調理者は、効率的に料理の調理を進めることができる。
【００４７】
請求項９に記載の発明は、上記構成を有することから、請求項１に記載の発明と同様の効果を奏するものである。
【図面の簡単な説明】
【００４８】
【図１】本発明の実施例１に係る料理のレシピ表示システムの全体構成を示す図である。
【図２】本発明の実施例１に係る料理のレシピ表示システムの管理サーバーのハードウェア構成を示す図である。
【図３】本発明の実施例１に係る料理のレシピ表示システムの構成を示すブロック図である。
【図４】本発明の実施例１に係る料理のレシピ表示システムにおいて、レシピの画面データを生成するための手順を示すフローチャートである。
【図５ａ】本発明の実施例１に係る料理のレシピ表示システムの材料情報テーブルの例を示す図である。
【図５ｂ】本発明の実施例１に係る料理のレシピ表示システムの調理器具情報テーブルの例を示す図である。
【図５ｃ】本発明の実施例１に係る料理のレシピ表示システムの調理工程情報テーブルの例を示す図である。
【図６ａ】本発明の実施例１に係る料理のレシピ表示システムの動画像テーブルの例を示す図である。
【図６ｂ】本発明の実施例１に係る料理のレシピ表示システムのチャプターテーブルの例を示す図である。
【図７】本発明の実施例１に係る料理のレシピ表示システムのレシピの画面データの例を示す図である。
【図８】本発明の実施例１に係る料理のレシピ表示システムにおいて、端末の画面上にレシピ画面を表示させるための手順を示すフローチャートである。
【図９ａ】本発明の実施例１に係る料理のレシピ表示システムにおいて、レシピ画面が端末の画面上に表示された状態を示す図である。
【図９ｂ】本発明の実施例１に係る料理のレシピ表示システムにおいて、レシピ画面が端末の画面上に表示された状態を示す図である。
【図９ｃ】本発明の実施例１に係る料理のレシピ表示システムにおいて、レシピ画面が端末の画面上に表示された状態を示す図である。
【図１０】本発明の実施例１に係る料理のレシピ表示システムにおいて、端末の画面上にチャプターの先頭から動画像を表示させるための手順を示すフローチャートである。
【発明を実施するための形態】
【００４９】
以下、添付図面を参照しながら本発明を実施するための形態について詳細に説明する。
【実施例１】
【００５０】
図１は、本発明の実施例１に係る料理のレシピ表示システムの全体構成を示す図である。
【００５１】
本料理のレシピ表示システムの機器本体である管理サーバー１００は、インターネット網を介して、複数の端末２００と接続される。
【００５２】
次に、管理サーバー１００及び端末２００のハードウェア構成について説明する。
【００５３】
図２は、本発明の実施例１に係る料理のレシピ表示システムの管理サーバーのハードウェア構成を示す図である。
【００５４】
［管理サーバー１００］
管理サーバー１００は、料理のレシピを生成・管理等するものであって、本料理のレシピ表示システム全体の動作を制御する制御部１１１、各種情報を記憶するメモリ１１２、キーボード等の入力部１１３、ディスプレイ等の出力部１１４、後述する材料情報テーブル等を記憶するハードディスク１１５及び端末２００と情報の送受信を行う通信部１１６を備える。
【００５５】
［端末２００］
端末２００は、ネットワーク接続機能を有するスマートフォン、タブレット端末又はパーソナルコンピュータ（ＰＣ）等のハードウェアから構成される（図示略）。
【００５６】
続いて、上述のように構成された料理のレシピ表示システムの動作について説明する。なお、ここでは、まず、本願の特許請求の範囲及び明細書等において使用する用語の定義について説明し、その上で、図３を用いて、本料理のレシピ表示システムの動作の前提となる、管理サーバー１００の各種機能について説明する。
【００５７】
［用語の定義］
本願の特許請求の範囲及び明細書等において使用する次の用語の定義は、以下のとおりである。
【００５８】
（１）料理
料理には、「食べ物」のみならず、「飲み物」（例えば、「カクテル」や「野菜ミックスジュース」等）が含まれる。
【００５９】
（２）材料
材料とは、食材、調味料のことをいう。
【００６０】
（３）レシピの提供者
レシピの提供者とは、管理サーバー１００の管理者のことであって、本料理のレシピ表示システムを通じて、端末２００の使用者に対し、料理のレシピを提供する者（サービス提供者）のことをいう。
【００６１】
（４）ユーザー
ユーザーとは、端末２００を使用する未経験調理者のことをいう。
【００６２】
［管理サーバー１００の各種機能］
本料理のレシピ表示システムの動作の前提となる、管理サーバー１００の各種機能は、次のとおりである。
【００６３】
図３は、本発明の実施例１に係る料理のレシピ表示システムの構成を示すブロック図である。
【００６４】
（１）記憶手段１０
記憶手段１０は、次の情報を管理サーバー１００のハードディスク１１５に記憶する。
＜記憶情報＞
・材料情報：複数の調理工程からなる料理を調理する際に使用される材料に関する情報
・使用分量情報：材料情報に係る材料の使用分量に関する情報
・作業内容情報：各調理工程ごとの、料理を調理するための作業内容に関する情報
・工程材料情報：作業内容情報に係る作業内容を実行する際に使用される材料に関する情報
・工程使用分量情報：工程材料情報に係る材料の使用分量に関する情報
・工程調理器具情報：作業内容情報に係る作業内容を実行する際に使用される調理器具に関する情報
・工程調理器具使用個数情報：工程調理器具情報に係る調理器具の使用個数に関する情報
・動画像：料理を調理している様子が撮影された動画像
なお、上記工程材料情報、工程使用分量情報、工程調理器具情報及び工程調理器具使用個数情報は、作業内容情報と関連付けられて、管理サーバー１００のハードディスク１１５に記憶される。
【００６５】
（２）画面データ生成手段１１（図７も合わせて参照）
画面データ生成手段１１は、記憶手段１０によって記憶されている材料情報及び使用分量情報を表示する第１の領域と、記憶手段１０によって記憶されている作業内容情報を、各調理工程ごとに、それぞれ表示し、記憶手段１０によって該作業内容情報と関連付けて記憶されている工程材料情報、工程使用分量情報、工程調理器具情報及び工程調理器具使用個数情報を、該作業内容情報と区分けして表示するとともに、後述する表示指示情報を、端末２００を介して送信するための操作ボタン画像を表示する複数の第２の領域と、記憶手段１０によって記憶されている動画像を表示する第３の領域とを含む画面データを生成する。また、画面データ生成手段１１は、工程材料情報に係る材料が食材の場合と調味料の場合とで、工程材料情報及び工程使用分量情報が表示される色を異なる色で生成するとともに、工程調理器具情報及び工程調理器具使用個数情報が表示される色と工程材料情報及び工程使用分量情報が表示される色とを異なる色で生成するものであって、工程材料情報及び工程使用分量情報並びに工程調理器具情報及び工程調理器具使用個数情報が表示される色と作業内容情報が表示される色とを異なる色で生成する。
【００６６】
（３）画面データ送信手段１２
画面データ送信手段１２は、画面データ生成手段１１によって生成された画面データを、ネットワークを介して接続される端末２００に送信する。
【００６７】
（４）表示指示情報受信手段１３
表示指示情報受信手段１３は、各調理工程ごとに複数のチャプターから構成される動画像を、対応するチャプターの先頭から表示するよう指示する表示指示情報を、端末２００から、管理サーバー１００の通信部１１６を介して受信する。
【００６８】
（５）動画像送信手段１４
動画像送信手段１４は、表示指示情報受信手段１３によって受信した表示指示情報に基づいて、対応するチャプターの先頭から表示される各調理工程ごとの動画像を、管理サーバー１００の通信部１１６を介して、端末２００に送信する。
【００６９】
では、本料理のレシピ表示システムの動作の詳細について説明する。なお、ここでは、本料理のレシピ表示システムの動作を、
１．本料理のレシピ表示システムにおいて、レシピの画面データを生成するための動作（手順）
２．本料理のレシピ表示システムにおいて、端末２００の画面上にレシピ画面を表示させるための動作（手順）
３．本料理のレシピ表示システムにおいて、端末２００の画面上にチャプターの先頭から動画像を表示させるための動作（手順）
の順に従って説明する。また、以下では、料理のレシピとして「ハンバーグ」のレシピ（「ハンバーグ」のレシピは複数の調理工程からなる）を例に挙げて説明する。
【００７０】
１．本料理のレシピ表示システムにおいて、レシピの画面データを生成するための動作（手順）
図４は、本発明の実施例１に係る料理のレシピ表示システムにおいて、レシピの画面データを生成するための手順を示すフローチャートであり、図５ａから図５ｃは、本発明の実施例１に係る料理のレシピ表示システムの材料情報テーブル、調理器具情報テーブル及び調理工程情報テーブルのそれぞれの例を示す図である。また、図６ａは、本発明の実施例１に係る料理のレシピ表示システムの動画像テーブルの例を示す図であり、図６ｂは、本発明の実施例１に係る料理のレシピ表示システムのチャプターテーブルの例を示す図である。また、図７は、本発明の実施例１に係る料理のレシピ表示システムのレシピの画面データの例を示す図である。
【００７１】
レシピの提供者は、管理サーバー１００の入力部１１３より、ハンバーグ（料理）のレシピに必要な情報を入力する（ステップＳ１０）。具体的には、レシピの提供者は、管理サーバー１００の入力部１１３より、次の情報を入力する。
＜入力情報＞
（１）ハンバーグを調理する際に使用する材料に関する材料情報
例：「合びき肉」、「玉ねぎ」、「パン粉」
（２）材料情報に係る材料の使用分量に関する使用分量情報
例：合びき肉＝「２００ｇ」  玉ねぎ＝「１／２個（８０ｇ）」、パン粉＝「大３」
（３）ハンバーグを調理する際に使用する調理器具に関する調理器具情報
例：「耐熱皿」、「ラップ」
（４）調理器具情報に係る調理器具の使用個数に関する調理器具使用個数情報
例：耐熱皿＝「１枚」、ラップ＝「１枚（３０ｃｍ×３０ｃｍ）」
（５）各調理工程ごとの、ハンバーグを調理するための作業内容に関する作業内容情報
例：調理工程１＝「みじん切りにして耐熱皿に広げる。」
（６）作業内容情報に係る作業内容を実行する際に使用される材料に関する工程材料情報
例：調理工程１（みじん切りにして耐熱皿に広げる）＝「玉ねぎ」
※工程材料情報は、上記入力情報（５）の情報である作業内容情報と関連付けて入力される。
（７）工程材料情報に係る材料の使用分量に関する工程使用分量情報
例：調理工程１（みじん切りにして耐熱皿に広げる＝玉ねぎ）＝「１／２個（８０ｇ）」
※工程使用分量情報は、上記入力情報（５）の情報である作業内容情報と関連付けて入力される。
（８）作業内容情報に係る作業内容を実行する際に使用される調理器具に関する工程調理器具情報
例：調理工程１（みじん切りにして耐熱皿に広げる）＝「耐熱皿」
※工程調理器具情報は、上記入力情報（５）の情報である作業内容情報と関連付けて入力される。
（９）工程調理器具情報に係る調理器具の使用個数に関する工程調理器具使用個数情報
例：調理工程１（みじん切りにして耐熱皿に広げる＝耐熱皿）＝「１枚」
※工程調理器具使用個数情報は、上記入力情報（５）の情報である作業内容情報と関連付けて入力される。
（１０）ハンバーグを調理している様子が撮影された動画像
※動画像は、ハンバーグの各調理工程ごとに複数のチャプターから構成される。
なお、以下では、上記入力情報（１）から（１０）の情報を総称して、「レシピ情報」と呼ぶ場合がある。
【００７２】
次に、管理サーバー１００は、ステップＳ１０において、入力部１１３より入力されたレシピ情報を、管理サーバー１００のハードディスク１１５に記憶する（記憶手段１０  ステップＳ１１）。具体的には、管理サーバー１００は、ハードディスク１１５に記憶されている次の各種テーブルに、上記入力情報（１）から（１０）のそれぞれの情報を登録することで、レシピ情報をハードディスク１１５に記憶する。
＜上記入力情報（１）から（１０）の情報の登録先テーブル＞
（１）材料情報テーブル２０（図５ａ）に登録される情報
上記入力情報（１）及び（２）の情報
（２）調理器具情報テーブル３０（図５ｂ）に登録される情報
上記入力情報（３）及び（４）の情報
（３）調理工程情報テーブル４０（図５ｃ）に登録される情報
上記入力情報（５）、（６）、（７）、（８）及び（９）の情報
なお、上記入力情報（５）の情報と関連付けて入力された上記入力情報（６）、（７）、（８）及び（９）の情報は、上記入力情報（５）の情報と関連付けて調理工程情報テーブル４０に登録される。例えば、管理サーバー１００は、図５ｃに示すように、調理工程情報テーブル４０の「調理工程Ｎｏ１」に係る「玉ねぎ」（工程材料情報）＝「１／２個（８０ｇ）」（工程使用分量情報）と「耐熱皿」（工程調理器具情報）＝「１枚」（工程調理器具使用個数情報）を、「調理工程Ｎｏ１」の「作業内容情報」（みじん切りにして耐熱皿に広げる。）に関連付けて登録する（つまり、工程材料情報、工程使用分量情報、工程調理器具情報及び工程調理器具使用個数情報は、作業内容情報と関連付けられて、管理サーバー１００のハードディスク１１５に記憶される）。
（４）動画像テーブル５０（図６ａ）に登録される情報
上記入力情報（１０）の情報
なお、上記のとおり、動画像は、各調理工程ごとに複数のチャプターから構成されるところ、各調理工程に対応するそれぞれのチャプターの動画像開始時間は、管理サーバー１００のハードディスク１１５に記憶されているチャプターテーブル６０（図６ｂ）に登録される。
【００７３】
続いて、管理サーバー１００は、管理サーバー１００のハードディスク１１５に記憶されている材料情報テーブル２０、調理器具情報テーブル３０、調理工程情報テーブル４０及び動画像テーブル５０を参照して、端末２００に表示させるための、ハンバーグのレシピの画面データ７０（図７）を生成する（画面データ生成手段１１  ステップＳ１２）。以下、この点につき、具体的に説明する。なお、図７の詳細については、図９ａ乃至図９ｃを参照されたい。
【００７４】
［画面データ７０の構成］
画面データ７０は、第１の領域７１と第２の領域７２と第３の領域７３とから構成される。第１の領域７１は、ハンバーグを調理する際に使用される全ての材料及びその使用分量（材料情報及び使用分量情報）とハンバーグを調理する際に使用される全ての調理器具及びその使用個数（調理器具情報及び調理器具使用個数情報）を表示するための領域であり、第２の領域７２は、主に、ハンバーグを調理するための作業内容（作業内容情報）と、この作業内容を実行する際に使用される材料及びその使用分量（工程材料情報及び工程使用分量情報）、並びに、この作業内容を実行する際に使用される調理器具及びその使用個数（工程調理器具情報及び工程調理器具使用個数情報）を表示するための領域である。また、第３の領域７３は、ハンバーグを調理している様子が撮影された動画像を表示するための領域である。
【００７５】
第１の領域７１、第２の領域７２及び第３の領域７３は、縦方向に整列しており、第３の領域７３、第１の領域７１、第２の領域７２の順に直線上に位置されている。また、第２の領域７２は、複数の調理工程からなるハンバーグの各調理工程ごとに複数設けられており、ハンバーグの調理工程の順に従って、それぞれ縦方向に整列するかたちで、直線上に位置するものとなっている。
【００７６】
また、第２の領域７２は、大きく分けて、左側のＡ列の領域（「材料・調理器具等」を表示する領域）と右側のＢ列の領域（「作業内容」を表示する領域）の２つの領域とから構成されており、このＡ列の領域とＢ列の領域は、区分けされた状態で横方向に整列する格好となっている。さらに、Ａ列の領域は、左側のＣ列の領域と右側のＤ列の領域とから構成されており、Ｃ列の領域とＤ列の領域は、Ａ列の領域の中で、区分けされた状態で横方向に整列している。
【００７７】
第２の領域７２中に設けられるＡ列の領域（Ｃ列の領域及びＤ列の領域）の数は、各調理工程の作業内容において使用される材料及び調理器具の数に応じて決定される。例えば、調理工程１の作業内容において使用される材料の数が「２」（「玉ねぎ」及び「バター」）、調理器具の数が「２」（「耐熱皿」及び「ラップ」）の場合、調理工程１に係る第２の領域７２中には、これらの数の合計数「４」に応じて、４つのＡ列の領域（Ｃ列の領域及びＤ列の領域）が設けられる（図７の一番上の第２の領域７２を参照）。なお、上記具体例のように、第２の領域７２中に複数のＡ列の領域（Ｃ列の領域及びＤ列の領域）が設けられる場合には、これらのＡ列の領域（Ｃ列の領域及びＤ列の領域）は、互いに区分けされた状態で、縦方向に整列して配置される。
【００７８】
これに対し、Ｂ列の領域の数は、１つの第２の領域７２に対して、１つとする（つまり、１つの第２の領域７２に、１つのＢ列の領域を設ける）ことが好ましい。なお、作業内容情報の表示を見やすくするために、１つの第２の領域７２中に、複数のＢ列の領域を設けることができることは勿論である。例えば、作業内容情報に係る作業内容の説明を文章ではなく箇条書きで表す場合には、各箇条ごとの説明をより一目瞭然に表示すべく、１つの第２の領域７２中に、複数のＢ列の領域を設けて、各Ｂ列の領域に箇条ごとの説明を表示するようにしてもよい。
【００７９】
さらに、Ｃ列の領域の左隣に位置するＥ例の領域（調理工程の番号を表示する領域）には、後述する表示指示情報を、端末２００を介して送信するための操作ボタン画像７４が構成されている。なお、第２の領域７２には、Ａ列の領域（Ｃ列の領域及びＤ列の領域）、Ｂ列の領域及びＥ例の領域のみならず、これらの周辺の領域（Ａ列、Ｂ列及びＥ例の領域の領域外であって、各調理工程に関連する情報が表示されていると理解される範囲）も、その範囲として含まれる。
【００８０】
加えて、第３の領域７３と第１の領域７１の間には、画面データ７０に係る料理のレシピが「ハンバーグのレシピ」であることを示す「ハンバーグ」の文字と、第１の領域７１に表示される情報（材料情報、使用分量情報、調理器具情報及び調理器具使用個数情報）が、ハンバーグを調理する際に使用される全ての材料及びその使用分量、並びに、ハンバーグを調理する際に使用される全ての調理器具及びその使用個数であることを示す「準備するもの（○人分）」の文字とが表示される構成となっている。
【００８１】
さらに、第１の領域７１と第２の領域７２の間には、第２の領域７２に表示される情報（作業内容情報、工程材料情報、工程使用分量情報、工程調理器具情報及び工程調理器具使用個数情報）が、ハンバーグの調理工程の具体的な内容であることを示す「作り方」の文字が表示される構成となっている。
【００８２】
［画面データ７０の生成方法］
まず、管理サーバー１００は、動画像テーブル５０を参照して、ハンバーグを調理している様子が撮影された動画像を、画面データ７０の第３の領域７３に表示するよう設定する。具体的には、管理サーバー１００は、動画像テーブル５０のレシピＮｏ１に係るレシピ名「ハンバーグ」に対応する動画像（動画像Ｎｏ１）を、第３の領域７３に表示するよう設定する。
【００８３】
次に、管理サーバー１００は、材料情報テーブル２０及び調理器具情報テーブル３０を参照して、材料情報、使用分量情報、調理器具情報及び調理器具使用個数情報を、画面データ７０の第１の領域７１に表示するよう設定する。このとき、管理サーバー１００は、材料情報と使用分量情報との対応関係が明確となるよう、これらの情報を横並びで配置するようにする。また、これと同様、管理サーバー１００は、調理器具情報と調理器具使用個数情報との対応関係を明確にすべく、これらの情報も横並びで配置するよう設定する（例えば、「玉ねぎ・・・・１／２個（８０ｇ）」、「耐熱皿・・・・１枚」と表示されるようにする）。こうすることで、第１の領域７１には、ハンバーグを調理する際に使用される全ての材料及びその使用分量（材料情報及び使用分量情報）とハンバーグを調理する際に使用される全ての調理器具及びその使用個数（調理器具情報及び調理器具使用個数情報）が纏まったかたちで一覧的に表示されるようになる。
【００８４】
続いて、管理サーバー１００は、調理工程情報テーブル４０を参照して、作業内容情報、工程材料情報、工程使用分量情報、工程調理器具情報及び工程調理器具使用個数情報を、画面データ７０の第２の領域７２に表示するよう設定する。以下、この点について、具体的に説明する。
【００８５】
まず、管理サーバー１００は、調理工程情報テーブル４０の各調理工程Ｎｏに係る作業内容情報を、対応する第２の領域７２中のＢ列の領域（「作業内容」を表示する領域）に、それぞれ表示するよう設定する。そして、管理サーバー１００は、調理工程情報テーブル４０に、各作業内容情報と関連付けて登録されている工程材料情報、工程使用分量情報、工程調理器具情報及び工程調理器具使用個数情報を、関連付けられている作業内容情報が表示される第２の領域７２中のＡ列の領域（「材料・調理器具等」を表示する領域）に、それぞれ表示するよう設定する。このとき、工程材料情報及び工程調理器具情報はＣ列の領域に、工程使用分量情報及び工程調理器具使用個数情報はＤ列の領域に表示されるよう設定する。
【００８６】
例えば、管理サーバー１００は、まず、調理工程Ｎｏ１に係る情報を表示する第２の領域７２（調理工程の番号を表示するＥ例の領域に「１」と表示される第２の領域７２）中のＢ列の領域に、「みじん切りにして耐熱皿に広げる。」との作業内容情報を表示するよう設定する。そして、管理サーバー１００は、この作業内容情報と関連付けて登録されている「玉ねぎ」、「耐熱皿」との工程材料情報及び工程調理器具情報を、同第２の領域７２中に複数設けられているＣ列の領域に、それぞれ表示するよう設定し、同じく、この作業内容情報と関連付けて登録されている「１／２個（８０ｇ）」、「１枚」との工程使用分量情報及び工程調理器具使用個数情報を、同第２の領域７２中に複数設けられているＤ列の領域に、それぞれ表示するよう設定する（つまり、この場合、Ａ列の領域は複数設けられている）。こうすることで、Ａ列の領域（Ｃ列の領域及びＤ列の領域）とＢ列の領域は、上記のとおり、区分けされた状態で横方向に整列していることから、工程材料情報、工程使用分量情報、工程調理器具情報及び工程調理器具使用個数情報は、作業内容情報と区分けされたかたちで第２の領域７２に表示されることになる。また、第２の領域７２中に複数のＡ列の領域（Ｃ列の領域及びＤ列の領域）が設けられる場合には、上記のとおり、これらのＡ列の領域（Ｃ列の領域及びＤ列の領域）は、互いに区分けされた状態で、縦方向に整列して配置されることから、工程材料情報、工程使用分量情報、工程調理器具情報及び工程調理器具使用個数情報は、互いに、区分けされたかたちで第２の領域７２に表示されることになる。
【００８７】
なお、このとき、管理サーバー１００は、工程材料情報に係る材料が食材の場合と調味料の場合とで、工程材料情報及び工程使用分量情報が表示される色を異なる色で生成するとともに、工程調理器具情報及び工程調理器具使用個数情報が表示される色と工程材料情報及び工程使用分量情報が表示される色とを異なる色で生成する。例えば、管理サーバー１００は、工程材料情報が食材の場合には、工程材料情報とこれの工程使用分量情報が表示される色を「橙色」で生成し、工程材料情報が調味料の場合には、工程材料情報とこれの工程使用分量情報が表示される色を「薄橙色」で生成するとともに、工程調理器具情報とこれの工程調理器具使用個数情報が表示される色を「水色」で生成する（これらの色は、上記の条件を満たすのであれば、任意の色で構わない）。
【００８８】
さらに、このとき、管理サーバー１００は、工程材料情報及び工程使用分量情報並びに工程調理器具情報及び工程調理器具使用個数情報が表示される色と作業内容情報が表示される色とを異なる色で生成する。例えば、管理サーバー１００は、作業内容情報が表示される色を「桃色」で生成する（これらの色は、上記の条件を満たすのであれば、任意の色で構わない）。
【００８９】
こうすることで、第２の領域７２に表示される上記各種の情報は、情報の種別ごとに、さらに一目瞭然に表示される。なお、管理サーバー１００が生成する色は、フォントの色でもよいし、背景の色でもよい。
【００９０】
以上で、画面データ７０の生成が完了する。
【００９１】
最後に、管理サーバー１００は、ステップＳ１２において生成した画面データ７０を、管理サーバー１００のハードディスク１１５に記憶する（ステップＳ１３）。
【００９２】
以上をもって、本料理のレシピ表示システムにおいて、レシピの画面データを生成するための動作（手順）が終了する。
【００９３】
２．本料理のレシピ表示システムにおいて、端末２００の画面上にレシピ画面を表示させるための動作（手順）
なお、ここでは、端末２００をスマートフォンとして、本料理のレシピ表示システムの動作について説明する。
【００９４】
図８は、本発明の実施例１に係る料理のレシピ表示システムにおいて、端末の画面上にレシピ画面を表示させるための手順を示すフローチャートであり、図９ａから図９ｃは、本発明の実施例１に係る料理のレシピ表示システムにおいて、レシピ画面が端末の画面上に表示された状態を示す図である。
【００９５】
ユーザーは、端末２００を用いて、本料理のレシピ表示システムに係るサービスのウェブサイトにアクセスし、当該ウェブサイトを通じて、複数のレシピの中から参照したいレシピを選択するための「レシピ一覧ページ」の要求情報を管理サーバー１００に送信する。ステップＳ２０において、端末２００から、「レシピ一覧ページ」の要求情報を、通信部１１６を介して受信した管理サーバー１００は、「レシピ一覧ページ」を、通信部１１６を介して、端末２００に送信する（ステップＳ２１）。
【００９６】
端末２００が管理サーバー１００から、「レシピ一覧ページ」を受信すると、ユーザーは、端末２００に表示されている「レシピ一覧ページ」の中から参照したいレシピを選択し（ここでは、ハンバーグのレシピを選択したとする）、この情報をレシピ選択情報として、管理サーバー１００に送信する。ステップＳ２２において、端末２００から、レシピ選択情報を、通信部１１６を介して受信した管理サーバー１００は、ハードディスク１１５に記憶されている、レシピ選択情報に係るレシピ（ハンバーグのレシピ）の画面データ７０を、通信部１１６を介して、端末２００に送信する（画面データ送信手段１２  ステップＳ２３）。
【００９７】
図９ａから図９ｃに示されるように、管理サーバー１００から送信された画面データ７０を受信した端末２００の画面上には、ハンバーグのレシピ画面（画面データ７０）が表示される。なお、画面データ７０の詳細については、上述した［画面データ７０の構成］及び［画面データ７０の生成方法］の項並びに図７を参照されたい。
【００９８】
このとき、端末２００の画面上（画面の表示領域内）には、画面データ７０の第１の領域７１と第３の領域７３に表示される情報（材料情報、使用分量情報、調理器具情報、調理器具使用個数情報及び動画像）のみが表示されているが（図９ａ参照）、上記のとおり、画面データ７０の第１の領域７１、第２の領域７２及び第３の領域７３は、縦方向に整列するかたちで、第３の領域７３、第１の領域７１、第２の領域７２の順に直線上に位置しており、複数の第２の領域７２は、調理工程の順に従って、それぞれ縦方向に整列するかたちで、直線上に位置するものとなっていることから、ユーザーは、端末２００をスクロールさせることで（端末２００の画面に触れた状態で指を上方にスライドさせる）、第２の領域７２に表示される情報（作業内容情報、工程材料情報、工程使用分量情報、工程調理器具情報及び工程調理器具使用個数情報）を、順次、端末２００の画面上に表示させることができる（図９ｂ及び図９ｃ参照）。なお、第３の領域７３に表示される動画像は、管理サーバー１００から端末２００へストリーミングで送信されることが好ましい。
【００９９】
以上をもって、本料理のレシピ表示システムにおいて、端末２００の画面上にレシピ画面を表示させるための動作（手順）が終了する。
【０１００】
３．本料理のレシピ表示システムにおいて、端末２００の画面上にチャプターの先頭から動画像を表示させるための動作（手順）
なお、ここでも、端末２００をスマートフォンとして、本料理のレシピ表示システムの動作について説明する。
【０１０１】
図１０は、本発明の実施例１に係る料理のレシピ表示システムにおいて、端末の画面上にチャプターの先頭から動画像を表示させるための手順を示すフローチャートである。
【０１０２】
ユーザーは、端末２００を通じて、各調理工程ごとの動画像を、対応するチャプターの先頭から表示するよう指示する表示指示情報を管理サーバー１００に送信する。具体的には、ユーザーは、各調理工程に係る第２の領域７２に表示される、それぞれの操作ボタン画像７４をタップすることで、表示指示情報を管理サーバー１００に送信する。
【０１０３】
ステップＳ３０において、端末２００から、表示指示情報を、通信部１１６を介して受信した管理サーバー１００は（表示指示情報受信手段１３  端末２００から受信した表示指示情報は、管理サーバー１００のメモリ１１２に記憶される）、ハードディスク１１５に記憶されているチャプターテーブル６０（図６ｂ）を参照して、表示指示情報に係る調理工程の動画像の頭出しを行う（ステップＳ３１）。例えば、受信した表示指示情報に係る指示が、「調理工程３の動画像」を、対応するチャプターの先頭から表示するよう指示するものである場合、管理サーバー１００は、チャプターテーブル６０の調理工程Ｎｏ３に係るチャプターＮｏ３の動画像開始時間「０：０６：４３」（６分４３秒）を読み出して、動画像が「０：０６：４３」から開始されるよう（つまり、動画像がチャプターＮｏ３（調理工程Ｎｏ３）から開始されるよう）頭出しを行う。
【０１０４】
最後に、管理サーバー１００は、ステップＳ３１において頭出しを行った動画像（上記の例でいえば、「０：０６：４３」から開始される動画像）を、通信部１１６を介して、端末２００に送信する（動画像送信手段１４  ステップＳ３２）。つまり、管理サーバー１００は、表示指示情報受信手段１３によって受信した表示指示情報に基づいて、対応するチャプターの先頭から表示される各調理工程ごとの動画像を、通信部１１６を介して、端末２００に送信する。これにより、端末２００の画面上では、第３の領域７３に、表示指示情報に基づいた対応するチャプターの先頭から表示される調理工程の動画像が表示される（上記の例でいえば、第３の領域７３には、「０：０６：４３」から開始される動画像が表示される）。なお、このとき、第３の領域７３に表示される動画像は、管理サーバー１００から端末２００へストリーミングで送信されることが好ましい。
【０１０５】
以上をもって、本料理のレシピ表示システムにおいて、端末２００の画面上にチャプターの先頭から動画像を表示させるための動作（手順）が終了する。
【０１０６】
このように、本発明は、上記構成を有することから、料理の各調理工程における作業内容及びそこで使用される材料等を一目瞭然に表示することができる。これにより、本発明を用いれば、未経験調理者は、一見して料理のレシピを理解することができる。
【０１０７】
［区分け表示の効果］
すなわち、本発明では、各調理工程ごとの、料理を調理するための作業内容に関する作業内容情報と、これと関付けて記憶されている、作業内容情報に係る作業内容を実行する際に使用される材料に関する工程材料情報及び工程材料情報に係る材料の使用分量に関する工程使用分量情報が、混然一体となることなく、一目瞭然に同じ第２の領域７２に明確に区分けされたかたちで表示されるものとなっていることから、このような第２の領域７２を含む画面データ７０を、自身の端末２００に受信した未経験調理者（ユーザー）は、端末２００の画面上に表示される第２の領域７２の表示内容を通じて、各調理工程の作業内容及び料理を調理するために必要な全ての材料等の内、その作業内容において使用される材料等（「何を」、「どれくらい使い」、「どうするか」ということ）を、即座に捉えることができるのである。
【０１０８】
このように、本発明を用いれば、未経験調理者は、一見して料理のレシピを理解することができることから、本発明は、特に、料理を調理する時間を十分に確保できない未経験調理者に対して、最適な料理のレシピを提供することができる。
【０１０９】
また、このことに加え、第２の領域７２に表示される工程材料情報に係る材料及び工程使用分量情報に係る使用分量は、それぞれ、第１の領域７１に表示される材料情報に係る材料及び使用分量情報に係る使用分量（料理を調理する際に使用される全ての材料及びその使用分量のこと）の内、各調理工程における作業内容を実行する際に使用される材料及びその使用分量のことであることから、第１及び第２の領域７１、７２を含む画面データ７０を、自身の端末２００に受信した未経験調理者は、端末２００の画面上に表示される第１の領域７１の表示内容（材料情報及び使用分量情報）及び第２の領域７２の表示内容を、順に確認するだけで、各調理工程の作業内容、各調理工程で使用される材料及び使用分量、料理を調理する際に使用される全ての材料及び使用分量の三者の関係性を容易に（一見して）把握することができる。すなわち、未経験調理者は、端末２００の画面上に表示される第１の領域７１の表示内容を事前に確認して、料理の調理の際に使用する全ての材料及び使用分量を把握しておけば、後は、第２の領域７２に表示される内容を確認するだけで、これら三者の関係性を容易に（一見して）把握することができることから、本発明を用いれば、効率的に材料等確認作業を行うことができるのである（つまり、第１の領域７１と第２の領域７２の表示内容を、何度も見比べる必要はない）。
【０１１０】
［スクロール時の効果］
さらに、本発明では、第１及び第２の領域７１、７２が第１、第２の領域７１、７２の順に直線上に位置するものであって、複数の第２の領域７２が調理工程の順に従って、それぞれ直線上に位置するものとなっていることから、第１及び第２の領域７１、７２を含む画面データ７０を、自身の端末２００に受信した未経験調理者は、材料等確認作業を行うために、何度も、端末２００を操作して端末２００の画面上の表示をスクロールさせる必要がない。よって、本発明を用いれば、未経験調理者は、材料等確認作業を行うために余計な作業（操作）を強いられることがないことから、簡易迅速（効率的）に材料等確認作業を行うことができる。
【０１１１】
このことを詳しく説明すると、第１及び第２の領域７１、７２を含む画面データ７０を受信した未経験調理者の端末２００の画面上（画面の表示領域内）に、例えば、「第１の領域７１」の表示内容が表示されている場合には、「第２の領域７２」の表示内容は、全て又はその大半が端末２００の画面上から見切れてしまうことになる。そのため、本発明においても、各調理工程の作業内容、各調理工程で使用される材料及び使用分量、料理を調理する際に使用される全ての材料及び使用分量との関係性を把握するために必要な第１及び第２の領域７１、７２の表示内容が、端末２００の画面上に一纏めに表示されることはないことから、本発明では、非特許文献１の料理のレシピサイトと同様に、未経験調理者に対して、材料等確認作業のための余計な作業（操作）を強いるものとも思われる。
【０１１２】
しかし、本発明を用いて材料等確認作業を行うためには、上記のとおり、まず、第１の領域７１に表示される材料情報と使用分量情報を確認し、続いて、第２の領域７２に表示される内容を確認すればよいのであり、未経験調理者は、本発明の上記構成より、端末２００の画面上に第１の領域７１の表示内容が表示されている状態から、端末２００の画面上の表示を一度だけスクロールさせて、第２の領域７２の表示内容を端末２００の画面上に表示させることで、第１及び第２の領域７１、７２の表示内容を順に確認することができる（材料等確認作業を行うことができる）のであるから、本発明では、未経験調理者に対して、材料等確認作業のための余計な作業（操作）を強いることはない。したがって、第１及び第２の領域７１、７２の表示内容が端末２００の画面上に一纏めに表示されないものだとしても、未経験調理者は、材料等確認作業を行う際に、何度も端末２００を操作して、端末２００の画面上の表示をスクロールさせる必要はなく、一度の操作（スクロール）を行うだけで、各調理工程の作業内容、各調理工程で使用される材料及び使用分量、料理を調理する際に使用される全ての材料及び使用分量の三者の関係性を容易に（一見して）把握することができることから、本発明を用いれば、未経験調理者は、簡易迅速（効率的）に材料等確認作業を行うことができるのである。
【０１１３】
なお、料理の調理工程が多数の調理工程からなる場合には、例えば、前半の調理工程に対応する第２の領域７２の表示内容が端末２００の画面上に表示されると、後半の調理工程に対応する第２の領域７２の表示内容は端末２００の画面上から見切れてしまうことになることから（図９ｂ参照）、未経験調理者は、上記のように一度のスクロールだけで、材料等確認作業を行うことができない。しかし、複数の第２の領域７２は調理工程の順に従って、それぞれ直線上に位置するものとなっており、未経験調理者は、端末２００の画面上の表示を調理工程の順に従って（つまり、一定方向に）スクロールさせるだけで、後半の調理工程に対応する第２の領域７２の表示内容を端末２００の画面上に表示させることができることから（図９ｃ参照）、料理の調理工程が多数の調理工程からなる場合であっても、未経験調理者は、シンプルな操作（一定方向へのスクロール）のみで、効率的に材料等確認作業を行うことができる。よって、このような場合でも、本発明を用いれば、未経験調理者が材料等確認作業を行うために煩雑な操作（例えば、一度スクロールした方向と反対方向にスクロールする等）を強いられることはない。
【０１１４】
以上より、本発明を用いれば、未経験調理者は、効率的に料理の調理を進めることができる。
【０１１５】
また、上記のとおり、未経験調理者は、材料等確認作業を行う際に何度も端末２００を操作して、端末２００の画面上の表示をスクロールさせる必要がないことから、料理を調理中の手（洗浄済の手）で、衛生的とはいえない端末２００に何度も触れる必要はない。よって、本発明を用いれば衛生的にも安全である。また、このことから、料理を調理中の手を介して、端末２００に食材や調味料が付着するおそれは激減することから、本発明では、端末２００がこれにより故障する原因を防止することができる。
【０１１６】
さらに、本発明は、記憶手段１０によって作業内容情報と関連付けて記憶されている工程調理器具情報及び工程調理器具使用個数情報が、複数の第２の領域７２に、それぞれ、作業内容情報と区分けされたかたち等で表示されるものとなっていることから、第２の領域７２を含む画面データ７０を、自身の端末２００に受信した未経験調理者は、端末２００の画面上に表示される第２の領域７２の表示内容を通じて、一見して、各調理工程で使用される調理器具及びその使用個数を把握することができる。これにより、未経験調理者は、各調理工程の作業内容及びそこで使用される材料等（「何を」、「どれくらい使い」、「どうするか」ということ）に加え、そこで使用される調理器具及びその使用個数をも明確にイメージすることができることから、本発明を用いれば、より効率的に料理の調理を進めることができる。
【０１１７】
また、本発明は、画面データ生成手段１１が、工程材料情報に係る材料が食材の場合と調味料の場合とで、工程材料情報及び工程使用分量情報が表示される色を異なる色で生成するとともに、工程調理器具情報及び工程調理器具使用個数情報が表示される色と工程材料情報及び工程使用分量情報が表示される色とを異なる色で生成するものとなっていることから、第２の領域７２を含む画面データ７０を、自身の端末２００に受信した未経験調理者は、端末２００の画面上に表示される第２の領域７２の表示内容を通じて、即座に（一目瞭然に）、各調理工程の作業内容及びそこで使用される材料等（「何を」、「どれくらい使い」、「どうするか」ということ）、並びに、そこで使用される調理器具及びその使用個数を捉えることができる。これにより、本発明を用いれば、未経験調理者は、さらに効率的に料理の調理を進めることができる。
【０１１８】
また、本発明は、画面データ生成手段１１が、工程材料情報及び工程使用分量情報並びに工程調理器具情報及び工程調理器具使用個数情報が表示される色と作業内容情報が表示される色とを異なる色で生成するものとなっていることから、第２の領域７２を含む画面データ７０を、自身の端末２００に受信した未経験調理者は、端末２００の画面上に表示される第２の領域７２の表示内容を通じて、即座に（一目瞭然に）、各調理工程の作業内容及びそこで使用される材料等（「何を」、「どれくらい使い」、「どうするか」ということ）、並びに、そこで使用される調理器具及びその使用個数を捉えることができる。これにより、本発明を用いれば、未経験調理者は、さらに効率的に料理の調理を進めることができる。
【０１１９】
加えて、本発明は、料理を調理している様子が撮影された動画像が、画面データ７０に含まれる第３の領域７３に表示されるものとなっていることから、本発明では、このような動画像を通じて、料理の各調理工程における作業内容及びそこで使用される材料等を、未経験調理者に鮮明にイメージさせることができる。
【０１２０】
また、動画像が表示される第３の領域７３は、第３、第１の領域７３、７１の順に、第１及び第２の領域７１、７２の直線上に位置するものとなっており、動画像は、未経験調理者の端末２００が画面データ７０を受信した際に、端末２００の画面上の先頭に表示されるものとなっていることから、本発明では、未経験調理者に対して、まず、動画像を閲覧するよう促すことができる。これにより、本発明では、料理のレシピの全体像を、動画像を通じて鮮明にイメージした上で、第１及び第２の領域７１、７２に表示される内容を確認するよう、未経験調理者に促すことができることから、本発明を用いれば、未経験調理者は、より効率的に材料等確認作業を行うことができることになる。すなわち、いきなり、文字や数字等からなる第１及び第２の領域７１、７２の表示内容を見るよりも、最初に、映像と音声からなる動画像を通じて料理のレシピの全体像を把握した上で第１及び第２の領域７１、７２の表示内容を見た方が、格段に第１及び第２の領域７１、７２の表示内容を理解するスピードは早いことから、本発明を採用すれば、未経験調理者は、より効率的に材料等確認作業を行うことができるのである（特に、未経験調理者の中でも、料理のレシピに係る料理を調理したことがない者にとっては有効である）。
【０１２１】
以上より、本発明を用いれば、未経験調理者は、効率的に料理の調理を進めることができる。
【０１２２】
さらに、本発明は、表示指示情報受信手段１３によって受信した表示指示情報に基づいて、対応するチャプターの先頭から表示される各調理工程ごとの動画像を、端末２００に送信するものとなっていることから、本発明を用いれば、未経験調理者は、閲覧したい調理工程の動画像を即座に閲覧することができる。これにより、例えば、未経験調理者が端末２００の画面上に表示されている第２の領域７２の表示内容より、そこに表示されている作業内容について理解ができない場合でも、未経験調理者は、即座に、該当する調理工程の動画像を閲覧することで、その理解できない調理工程の作業内容について理解を深める（鮮明にイメージする）ことができることから、本発明を採用すれば、未経験調理者は、より効率的に材料等確認作業を行うことができることになる。
【０１２３】
また、本発明では、画面データ７０に含まれる複数の第２の領域７２に、それぞれ、端末２００を介して表示指示情報を送信するための操作ボタン画像７４が表示されていることから、未経験調理者は、本発明を用いることで、より効率的に材料等確認作業を行うことができる。すなわち、未経験調理者が、端末２００の画面上に表示されている第２の領域７２の表示内容（調理工程で行う作業内容等）を確認中に、突如、該当する調理工程の動画像を閲覧したいと考えた場合でも（例えば、その調理工程で行う作業内容が理解できないため）、未経験調理者は、同じ第２の領域７２に表示されている操作ボタン画像７４を操作（タップ）するだけで（シンプルな操作だけで）、閲覧したい調理工程の動画像を即座に閲覧することができることから、本発明を用いれば、より効率的に材料等確認作業を行うことができるのである。以上より、本発明では、未経験調理者は、効率的に料理の調理を進めることができる。
【０１２４】
［本実施例に係る料理のレシピ表示システムの変形例］
なお、本実施例では、端末２００の例として、スマートフォンを挙げて説明しているが、端末２００を「タブレット端末」や「パーソナルコンピュータ（ＰＣ）」等で構成できることは勿論である。
【０１２５】
また、本実施例では、画面データ７０の第１の領域７１、第２の領域７２及び第３の領域７３を、縦方向に整列させるものとしているが、この構成に変えて、これらの領域を横方向に整列させた状態で、第３の領域７３、第１の領域７１、第２の領域７２の順に直線上に位置させるようにしてもよい。このように構成したとしても、本実施例に係る発明と同様の効果を発揮することができる。
【０１２６】
また、本実施例では、管理サーバー１００が、工程材料情報及び工程調理器具情報を第２の領域７２中のＣ列の領域に、工程使用分量情報及び工程調理器具使用個数情報を第２の領域７２中のＤ列の領域に、それぞれ表示するよう設定するものとなっているが、管理サーバー１００は、工程材料情報及び工程調理器具情報を第２の領域７２中のＤ列の領域に、工程使用分量情報及び工程調理器具使用個数情報を第２の領域７２中のＣ列の領域に、それぞれ表示するよう設定してもよい（つまり、作業内容情報は、工程材料情報又は工程使用分量情報と隣接する位置に表示されるとともに、工程調理器具情報又は該工程調理器具使用個数情報と隣接する位置に表示されることになる）。このように構成したとしても、工程材料情報、工程使用分量情報、工程調理器具情報及び工程調理器具使用個数情報は、依然として、作業内容情報と区分けされたかたちで第２の領域７２に表示されるものとなっていることから、未経験調理者は、本実施例に係る発明と同様に、効率的に材料等確認作業を行うことができる。
【０１２７】
また、本実施例では、第２の領域７２を、大きく分けて、左側のＡ列の領域（「材料・調理器具等」を表示する領域）と右側のＢ列の領域（「作業内容」を表示する領域）とで構成するものとなっているが、右側にＡ列の領域を、左側にＢ列の領域を配置しても構わない。また、本実施例では、Ａ列の領域（Ｃ列の領域及びＤ列の領域）とＢ列の領域を、区分けした状態で横方向に整列させるものとしているが、これらの領域が区分けされた状態が維持されるのであれば、これらの領域を縦方向に整列させるかたちで配置しても構わない（例えば、Ａ列の領域の下にＢ列の領域を配置する等）。
【０１２８】
また、本実施例では、Ａ列の領域を、さらに、左側のＣ列の領域と右側のＤ列の領域とで構成するものとしているが、Ａ列の領域とＢ列の領域とが区分けされているのであれば、Ａ列の領域に、Ｃ列の領域とＤ列の領域を設けないよう構成することもできる。なお、このとき、工程材料情報及び工程調理器具情報と工程使用分量情報及び工程調理器具使用個数情報は、Ａ列の領域に、横方向又は縦方向に整列した状態で表示される（例えば、Ａ列の領域には、「玉ねぎ  １／２個（８０ｇ）」又は「玉ねぎ」の表示の下に「１／２個（８０ｇ）」と表示される）。
【０１２９】
また、本実施例では、第２の領域７２のＥ例の領域（調理工程の番号を表示する領域）に、操作ボタン画像７４を構成するものとしているが、操作ボタン画像７４が、各調理工程に対応するかたちで表示されるのであれば、操作ボタン画像７４を構成する位置は、第２の領域７２内の任意の位置で構わない。例えば、操作ボタン画像７４を、Ａ列の領域（Ｃ列の領域若しくはＤ列の領域）又はＢ列の領域内に構成してもよいし、Ａ列の領域（Ｃ列の領域及びＤ列の領域）、Ｂ列の領域及びＥ例の領域の周辺の領域（Ａ列、Ｂ列及びＥ例の領域の領域外であって、各調理工程に関連する情報が表示されていると理解される範囲）に構成してもよい（上記のとおり、第２の領域７２には、Ａ列の領域（Ｃ列の領域及びＤ列の領域）、Ｂ列の領域及びＥ例の領域のみならず、これらの周辺の領域（Ａ列、Ｂ列及びＥ例の領域の領域外であって、各調理工程に関連する情報が表示されていると理解される範囲）も、その範囲として含まれる）。
【０１３０】
また、本実施例では、第２の領域７２のＥ例の領域（調理工程の番号を表示する領域）に、操作ボタン画像７４を構成するものとしているが、操作ボタン画像７４自体を構成させず、他の手段にて、表示指示情報を、管理サーバー１００に送信するようにしてもよい。例えば、この構成に変えて、第２の領域７２全体を操作ボタン画像とし、ユーザーが、端末２００の画面上に表示される第２の領域７２内の任意の位置をタップ又はクリックすることで、表示指示情報が管理サーバー１００に送信されるようにしてもよい。
【０１３１】
また、本実施例では、管理サーバー１００は、端末２００から受信した表示指示情報に基づいて、頭出しを行った調理工程の動画像を端末２００に送信するものとしているが（以下、この機能を「チャプター機能」という。）、本発明の構成を、よりシンプルなものとしたいのであれば、このようなチャプター機能を設けずに本発明を構成することもできる（つまり、この場合、動画像は、各調理工程ごとに複数のチャプターから構成されず、また、操作ボタン画像７４及び表示指示情報受信手段１３は設けられない）。このように構成したとしても、端末２００が画面データ７０を受信した際には、端末２００の画面上には、動画像が先頭に表示されるのであるから、未経験調理者は、十分に料理のレシピの全体像を、動画像を通じて鮮明にイメージすることができる（未経験調理者は、十分効率的に材料等確認作業を行うことができる）。
【０１３２】
また、本実施例では、第３の領域７３に、料理を調理している様子が撮影された動画像を表示するものとしているが、管理サーバー１００から端末２００へ送信される情報量（データ容量）を、より軽減させたいのであれば、このような動画像を第３の領域７３に表示させないよう構成することもできる（つまり、この構成では、記憶手段１０に動画像は記憶されず、また、画面データ７０に第３の領域７３は含まれない（設けられない））。このように構成したとしても、未経験調理者は、上記構成からなる第１の領域７１及び第２の領域７２の表示内容によって、効率的に材料等確認作業を行うことができる。
【０１３３】
また、本実施例では、管理サーバー１００は、工程材料情報及び工程使用分量情報並びに工程調理器具情報及び工程調理器具使用個数情報が表示される色と作業内容情報が表示される色とを異なる色で生成するものとなっているが、本発明の構成を、よりシンプルなものとしたいのであれば、これらが表示される色を同一の色で生成するよう構成することもできる。また、工程調理器具情報及び工程調理器具使用個数情報が表示される色と工程材料情報及び工程使用分量情報が表示される色とを異なる色で生成する場合において、作業内容情報が表示される色を、これらが表示される色のいずれか一方の色と同一にしても構わない。さらに、本実施例では、管理サーバー１００は、工程材料情報に係る材料が食材の場合と調味料の場合とで、工程材料情報及び工程使用分量情報が表示される色を異なる色で生成するとともに、工程調理器具情報及び工程調理器具使用個数情報が表示される色と工程材料情報及び工程使用分量情報が表示される色とを異なる色で生成するものとなっているが、本発明の構成を、よりシンプルなものとしたいのであれば、これらが表示される色を同一の色で生成するよう構成することもできる。なお、このとき、作業内容情報が表示される色を、これらが表示される色と異ならせてもよい。
【０１３４】
このように構成したとしても、工程材料情報、工程使用分量情報、工程調理器具情報及び工程調理器具使用個数情報は、依然として、作業内容情報と区分けされたかたちで第２の領域７２に表示されるものとなっており（第２の領域７２におけるＡ列の領域とＢ列の領域は区分けされているため）、また、工程材料情報、工程使用分量情報、工程調理器具情報及び工程調理器具使用個数情報についても、依然として、区分けされたかたちで第２の領域７２に表示されるものとなっていることから（第２の領域７２中に複数のＡ列の領域（Ｃ列の領域及びＤ列の領域）が設けられる場合には、これらのＡ列の領域（Ｃ列の領域及びＤ列の領域）は、互いに区分けされた状態で、縦方向に整列して配置されるため）、未経験調理者は、これらの情報を即座に捉えることができ、効率的に料理の調理を進めることができる。
【０１３５】
また、本実施例では、管理サーバー１００は、調理器具情報テーブル３０を参照して、調理器具情報及び調理器具使用個数情報（料理を調理する際に使用される全ての調理器具及びその使用個数）を、画面データ７０の第１の領域７１に表示するよう設定するものとなっているが、管理サーバー１００から端末２００へ送信される情報量（データ容量）を、より軽減させたいのであれば、調理器具情報及び調理器具使用個数情報を第１の領域７１に表示させないよう構成することもできる（つまり、この構成では、記憶手段１０に調理器具情報及び調理器具使用個数情報は記憶されない）。このように構成したとしても、依然として、第１の領域７１には、材料情報及び使用分量情報が表示され、また、第２の領域７２には、作業内容情報、工程材料情報及び工程使用分量情報が表示されるのであるから（これらの情報は、いずれも料理のレシピを把握するために欠かせない情報である）、未経験調理者は、これらの情報をもとに、効率的に材料等確認作業を行うことができる。
【０１３６】
また、本実施例では、管理サーバー１００は、調理工程情報テーブル４０を参照して、工程調理器具情報及び工程調理器具使用個数情報を、画面データ７０の第２の領域７２に表示するよう設定するものとなっているが、管理サーバー１００から端末２００へ送信される情報量（データ容量）を、より軽減させたいのであれば、工程調理器具情報及び工程調理器具使用個数情報を第２の領域７２に表示させないよう構成することもできる（つまり、この構成では、記憶手段１０に工程調理器具情報及び工程調理器具使用個数情報は記憶されない）。このように構成したとしても、依然として、第１の領域７１には、材料情報及び使用分量情報が表示され、また、第２の領域７２には、作業内容情報、工程材料情報及び工程使用分量情報が表示されるのであるから（これらの情報は、いずれも料理のレシピを把握するために欠かせない情報である）、未経験調理者は、これらの情報をもとに、効率的に材料等確認作業を行うことができる。なお、この場合、第２の領域７２中に設けられるＡ列の領域（Ｃ列の領域及びＤ列の領域）の数は、各調理工程の作業内容において使用される材料の数に応じて決定される。
【０１３７】
また、この場合において、管理サーバー１００（画面データ生成手段１１）は、工程材料情報に係る材料が食材の場合と調味料の場合とで、工程材料情報及び工程使用分量情報が表示される色を異なる色で生成してもよい。また、これに加え、管理サーバー１００（画面データ生成手段１１）は、作業内容情報が表示される色と工程材料情報及び工程使用分量情報が表示される色とを異なる色で生成してもよい。これにより、第２の領域７２に表示される上記各種の情報は、情報の種別ごとに一目瞭然に表示されることから、未経験調理者は、効率的に料理の調理を進めることができる。なお、このとき、管理サーバー１００（画面データ生成手段１１）が生成する色は、フォントの色でもよいし、背景の色でもよい。
【０１３８】
なお、この場合において、本発明の構成を、よりシンプルなものとしたいのであれば、管理サーバー１００（画面データ生成手段１１）は、工程材料情報に係る材料が食材であるか調味料であるかに関わらず、工程材料情報及び工程使用分量情報が表示される色を同一の色で生成してもよい。なお、このとき、作業内容情報が表示される色を、工程材料情報及び工程使用分量情報が表示される色と同一にしてもよいし、異なる色にしてもよい。また、工程材料情報に係る材料が食材の場合と調味料の場合とで、工程材料情報及び工程使用分量情報が表示される色を異なる色で生成する場合において、作業内容情報が表示される色を、これらが表示される色のいずれか一方の色と同一にしても構わない。このように構成したとしても、工程材料情報及び工程使用分量情報は、依然として、作業内容情報と区分けされたかたちで第２の領域７２に表示されるものとなっており（第２の領域７２におけるＡ列の領域とＢ列の領域は区分けされているため）、また、工程材料情報及び工程使用分量情報についても、依然として、区分けされたかたちで第２の領域７２に表示されるものとなっていることから（第２の領域７２中に複数のＡ列の領域（Ｃ列の領域及びＤ列の領域）が設けられる場合には、これらのＡ列の領域（Ｃ列の領域及びＤ列の領域）は、互いに区分けされた状態で、縦方向に整列して配置されるため）、未経験調理者は、これらの情報を即座に捉えることができ、効率的に料理の調理を進めることができる。
【０１３９】
また、本実施例において、管理サーバー１００は、端末２００に画面データ７０を送信する際、この画面データ７０を端末２００にダウンロードさせるかたちで送信してもよい。こうすることで、ユーザーは、管理サーバー１００と端末２００の通信データ量を気にすることなく、いつでも気軽に、端末２００を通じてレシピ画面（画面データ７０）を参照することができる。
【０１４０】
また、本実施例では、管理サーバー１００において、端末２００に表示させるための、料理のレシピの画面データ７０を生成するものとなっているが（画面データ生成手段１１）、この構成に変えて、画面データ生成手段１１を設けずに、端末２００側で、画面データ７０と同様のレシピ画面を、端末２００の画面上に表示させるようにしてもよい。以下、この点について、具体的に説明する。なお、以下では、料理のレシピとして「ハンバーグ」のレシピ（「ハンバーグ」のレシピは複数の調理工程からなる）を例に挙げて説明する。
【０１４１】
まず、レシピの提供者は、管理サーバー１００の入力部１１３より、ハンバーグ（料理）のレシピに必要な情報を入力する。具体的には、レシピの提供者は、管理サーバー１００の入力部１１３より、次の情報を入力する。
＜入力情報＞
（１）ハンバーグを調理する際に使用する材料に関する材料情報
例：「合びき肉」、「玉ねぎ」、「パン粉」
（２）材料情報に係る材料の使用分量に関する使用分量情報
例：合びき肉＝「２００ｇ」  玉ねぎ＝「１／２個（８０ｇ）」、パン粉＝「大３」
（３）各調理工程ごとの、ハンバーグを調理するための作業内容に関する作業内容情報
例：調理工程１＝「みじん切りにして耐熱皿に広げる。」
（４）作業内容情報に係る作業内容を実行する際に使用される材料に関する工程材料情報
例：調理工程１（みじん切りにして耐熱皿に広げる）＝「玉ねぎ」
※工程材料情報は、上記入力情報（３）の情報である作業内容情報と関連付けて入力される。
（５）工程材料情報に係る材料の使用分量に関する工程使用分量情報
例：調理工程１（みじん切りにして耐熱皿に広げる＝玉ねぎ）＝「１／２個（８０ｇ）」
※工程使用分量情報は、上記入力情報（３）の情報である作業内容情報と関連付けて入力される。
なお、以下では、上記入力情報（１）から（５）の情報を総称して、「レシピ必要情報」と呼ぶ場合がある。
【０１４２】
次に、管理サーバー１００は、入力部１１３より入力されたレシピ必要情報を、管理サーバー１００のハードディスク１１５に記憶する。そして、端末２００（以下では、端末２００の具体例として、「スマートフォン」を挙げて説明する）から、レシピ必要情報の送信要求情報を、通信部１１６を介して受信した管理サーバー１００は、レシピ必要情報を、通信部１１６を介して端末２００に送信する。
【０１４３】
管理サーバー１００より、レシピ必要情報を受信した端末２００は、このレシピ必要情報を端末２００のメモリ（図示略）に記憶する（情報記憶手段）。すなわち、端末２００は、レシピ必要情報である以下の、
（１）ハンバーグ（料理）を調理する際に使用される材料に関する材料情報
（２）材料情報に係る材料の使用分量に関する使用分量情報
（３）各調理工程ごとの、ハンバーグを調理するための作業内容に関する作業内容情報
（４）作業内容情報に係る作業内容を実行する際に使用される材料に関する工程材料情報
（５）工程材料情報に係る材料の使用分量に関する工程使用分量情報
を端末２００のメモリに記憶する。なお、上記情報（４）及び（５）は、上記情報（３）と関連付けて記憶される（つまり、工程材料情報及び工程使用分量情報は、作業内容情報と関連付けられて、端末２００のメモリに記憶される）。
【０１４４】
続いて、端末２００は、メモリに記憶したレシピ必要情報に基づいて、端末２００の画面上にハンバーグのレシピ画面を表示させる。具体的には、以下のとおりである。なお、端末２００の画面上に表示されるレシピ画面のレイアウト及び各種情報の表示態様は、基本的に、本実施例と同様であることから、ここでは、図７及び図９ａ乃至図９ｃを参照して説明する。
【０１４５】
まず、端末２００は、メモリに記憶されている（情報記憶手段によって記憶されている）材料情報及び使用分量情報を、第１の領域７１に表示する（材料分量情報表示手段）。このとき、端末２００は、材料情報と使用分量情報との対応関係が明確となるよう、これらの情報を横並びで配置するようにする。こうすることで、第１の領域７１には、ハンバーグを調理する際に使用される全ての材料及びその使用分量（材料情報及び使用分量情報）が纏まったかたちで一覧的に表示されるようになる。
【０１４６】
次に、端末２００は、メモリに記憶されている（情報記憶手段によって記憶されている）作業内容情報を、各調理工程ごとに、対応する第２の領域７２中のＢ列の領域（複数の第２の領域７２）に、それぞれ表示する（作業内容情報表示手段）。そして、端末２００は、メモリに（情報記憶手段によって）、各作業内容情報と関連付けて記憶されている工程材料情報及び工程使用分量情報を、関連付けられている作業内容情報が表示される第２の領域７２中のＡ列の領域に、それぞれ表示する（工程材料分量情報表示手段）。
【０１４７】
このとき、工程材料情報はＣ列の領域に、工程使用分量情報はＤ列の領域に表示するようにする（工程材料情報をＤ列の領域に、工程使用分量情報をＣ列の領域に表示してもよい）。こうすることで、Ａ列の領域（Ｃ列の領域及びＤ列の領域）とＢ列の領域は、区分けされた状態で横方向に整列していることから、工程材料情報及び工程使用分量情報は、作業内容情報と区分けされたかたちで第２の領域７２に表示されることになる。また、これにより、作業内容情報は工程材料情報又は工程使用分量情報と隣接する位置に表示されることになる。
【０１４８】
なお、このような、端末２００の画面上に表示されるレシピ画面のレイアウトは、調理器具情報及び調理器具使用個数情報が第１の領域７１に表示される点、工程調理器具情報及び工程調理器具使用個数情報が第２の領域７２に表示される点、並びに、第３の領域７３が設けられる点（動画像が表示される点）を除いて、本実施例の画面データ７０と同様の構成からなることから、当該レシピ画面のレイアウトにおける第１及び第２の領域７１、７２は、第１、第２の領域７１、７２の順に直線上に位置するものであって、複数の第２の領域７２は調理工程の順に従って、それぞれ直線上に位置することになる（第１の領域７１と第２の領域７２は、縦方向に整列している）。
【０１４９】
また、本実施例と同様に、ハンバーグのレシピ画面が端末２００の画面上に表示された際には、端末２００の画面上（画面の表示領域内）に、第１の領域７１及び第２の領域７２の全てが表示されることはないが、当該レシピ画面のレイアウトは上記構成からなることから、ユーザーは、端末２００をスクロールさせることで（端末２００の画面に触れた状態で指を上方にスライドさせる）、第２の領域７２に表示される情報（作業内容情報、工程材料情報及び工程使用分量情報）を、順次、端末２００の画面上に表示させることができる（つまり、端末２００の画面上の表示全体は、直線上に画面スクロールされる（図９ｂ及び図９ｃ参照）。なお、第１の領域７１及び第２の領域７２が横方向に整列している場合も同様である。）。
【０１５０】
このように本発明を構成すれば、管理サーバー１００は、画面データ７０を生成する必要がないことから、この構成に係る発明を採用することで、管理サーバー１００の情報処理作業にかかる負荷を軽減させることができる。また、この構成に係る発明は、基本的に本実施例に係る発明と同様の構成からなることから、この構成に係る発明では、この限りにおいて、本実施例に係る発明が奏する効果と同様の効果を奏する。
【０１５１】
最後に、本実施例の料理のレシピ表示システムは、料理のレシピ表示方法であってもよいし、コンピュータを料理のレシピ表示システム又は方法として機能させるためのプログラムでも実現される。このプログラムは、コンピュータで読み取り可能な記録媒体に格納されていてもよい。なお、上記記録媒体は、本実施例の料理のレシピ表示システムのＲＯＭそのものや、外部記憶装置（ＣＤ−ＲＯＭドライブ等）に挿入することで読み取り可能なＣＤ−ＲＯＭ、磁気テープ、カセットテープ、フレキシブルディスク、ハードディスク、ＭＯ／ＭＤ／ＤＶＤ等、又は半導体メモリであってもよい。
【０１５２】
以上のとおり、これまで、本実施例に対するいくつかの変形例を説明したが、これらの変形例を、適宜組み合わせて適用することができることは勿論のことである。
【０１５３】
このように、本実施例では、本発明の趣旨を逸脱しない範囲で種々の変更が可能であることはいうまでもない。
【符号の説明】
【０１５４】
１０      記憶手段
１１      画面データ生成手段
１２      画面データ送信手段
１３      表示指示情報受信手段
１４      動画像送信手段
２０      材料情報テーブル
３０      調理器具情報テーブル
４０      調理工程情報テーブル
５０      動画像テーブル
６０      チャプターテーブル
７０      画面データ
７１      第１の領域
７２      第２の領域
７３      第３の領域
７４      操作ボタン画像
１００    管理サーバー
１１１    制御部
１１２    メモリ
１１３    入力部
１１４    出力部
１１５    ハードディスク
１１６    通信部
２００    端末
【図１】
2019087116.tif 000003
【図２】
2019087116.tif 000004
【図３】
2019087116.tif 000005
【図４】
2019087116.tif 000006
【図５ａ】
2019087116.tif 000007
【図５ｂ】
2019087116.tif 000008
【図５ｃ】
2019087116.tif 000009
【図６ａ】
2019087116.tif 000010
【図６ｂ】
2019087116.tif 000011
【図７】
2019087116.tif 000012
【図８】
2019087116.tif 000013
【図９ａ】
2019087116.tif 000014
【図９ｂ】
2019087116.tif 000015
【図９ｃ】
2019087116.tif 000016
【図１０】
2019087116.tif 000017